(57)【要約】【課題】測定データの一覧表示の中からユーザが所望の測定データを容易に選択することができるデータ管理システムを実現する。【解決手段】測定データを管理するデータ管理システムに関する。測定データの波形の特徴を解析するデータ解析手段と、データ解析手段の解析による波形情報と測定データのサムネイル画像情報を合わせたサムネイル情報を測定データ毎に作成するサムネイル情報作成手段と、サムネイル情報に基づいて測定データを分類する分類手段と、分類手段の分類に従って測定データの一覧をサムネイル形式で表示する表示手段とを設けた。【選択図】図１
2009257997.tif 000002
【特許請求の範囲】
【請求項１】
測定機器で測定した測定データをデータ記憶手段に格納し、該データ記憶手段から所望の測定データを選択可能に管理するデータ管理システムであって、
前記測定データの波形の特徴を解析するデータ解析手段と、
該データ解析手段の解析による波形情報と前記測定データのサムネイル画像情報を合わせたサムネイル情報を測定データ毎に作成するサムネイル情報作成手段と、
前記サムネイル情報に基づいて前記測定データを分類する分類手段と、
該分類手段の分類に従って前記測定データの一覧をサムネイル形式で表示する表示手段と、
を有することを特徴とするデータ管理システム。
【請求項２】
前記波形情報は、波形の形状及び波形の本数の少なくとも一方を含むことを特徴とする請求項１記載のデータ管理システム。
【請求項３】
前記分類手段は、入力手段による分類条件の指定があるときはその条件で前記測定データを分類し、前記入力手段による分類条件の指定がないときはデータファイル名で前記測定データを分類することを特徴とする請求項１又は２記載のデータ管理システム。
【請求項４】
前記分類手段は、予め定められた分類条件の順序で前記サムネイル情報を分析し、前記測定データを複数のグループに分類できない場合は、次の分類条件で前記測定データを分類することを特徴とする請求項１又は２記載のデータ管理システム。
【請求項５】
前記表示手段は、前記測定データの一覧のうち、指定した波形の特徴と一致する測定データの表示形態と、指定した波形の特徴と相違する測定データの表示形態を区別させることを特徴とする請求項１乃至４のいずれかに記載のデータ管理システム。
【発明の詳細な説明】
【技術分野】
【０００１】
本発明は、測定機器で測定した測定データを管理するデータ管理システムに関するものである。
【背景技術】
【０００２】
直流電圧、熱電対、測温抵抗体及び接点等の入力を測定する測定機器では、入力信号を電子化し測定データとして記憶媒体に保存しており、この保存した測定データを、パーソナルコンピュータで処理したり、パーソナルコンピュータ上で測定データの波形表示やプリンタへの出力を行う等、利用可能としている。
【０００３】
図４は従来の測定データの一覧表示を示す図である。
測定データを確認する場合、ユーザはまず測定データの一覧表示を行い、そこから任意の測定データを選択し、波形表示を行う。
測定データにはファイル名や識別子名（以下単にファイル名という）が付けられており、それぞれのファイル名に対応する属性値として、測定データに含まれるチャネル数、データ更新時刻、データサイズ等の静的で、測定データそのものに着目した情報が表示される。
【０００４】
【特許文献１】特開２００７−３３４３９７号公報
【発明の開示】
【発明が解決しようとする課題】
【０００５】
従来の測定データの一覧表示においては、一覧表示されているファイル名や属性値を見てもその測定データがどのような波形であるかを容易に想像することができなかった。そのため、ユーザが測定結果の確認や解析等のために必要な測定データを一覧の中から直ぐに選択することができず、必要な測定データを呼び出すのに時間がかかってしまうという問題点があった。
【０００６】
本発明は上述した問題点を解決するためになされたものであり、測定データの一覧表示の中からユーザが所望の測定データを容易に選択することができるデータ管理システムを実現することを目的とする。
【課題を解決するための手段】
【０００７】
このような課題を達成するために、本発明は次のとおりの構成になっている。
（１）測定機器で測定した測定データをデータ記憶手段に格納し、該データ記憶手段から所望の測定データを選択可能に管理するデータ管理システムであって、
前記測定データの波形の特徴を解析するデータ解析手段と、
該データ解析手段の解析による波形情報と前記測定データのサムネイル画像情報を合わせたサムネイル情報を測定データ毎に作成するサムネイル情報作成手段と、
前記サムネイル情報に基づいて前記測定データを分類する分類手段と、
該分類手段の分類に従って前記測定データの一覧をサムネイル形式で表示する表示手段と、
を有することを特徴とするデータ管理システム。
【０００８】
（２）前記波形情報は、波形の形状及び波形の本数の少なくとも一方を含むことを特徴とする（１）記載のデータ管理システム。
【０００９】
（３）前記分類手段は、入力手段による分類条件の指定があるときはその条件で前記測定データを分類し、前記入力手段による分類条件の指定がないときはデータファイル名で前記測定データを分類することを特徴とする（１）又は（２）記載のデータ管理システム。
【００１０】
（４）前記分類手段は、予め定められた分類条件の順序で前記サムネイル情報を分析し、前記測定データを複数のグループに分類できない場合は、次の分類条件で前記測定データを分類することを特徴とする（１）又は（２）記載のデータ管理システム。
【００１１】
（５）前記表示手段は、前記測定データの一覧のうち、指定した波形の特徴と一致する測定データの表示形態と、指定した波形の特徴と相違する測定データの表示形態を区別させることを特徴とする（１）乃至（４）のいずれかに記載のデータ管理システム。
【発明の効果】
【００１２】
本発明によれば次のような効果がある。
分類条件に従って測定データをサムネイル形式で表示するようにしたことにより、測定データの一覧表示の中からユーザが所望の測定データを容易に選択することができる。
【発明を実施するための最良の形態】
【００１３】
以下、図面を用いて本発明を詳細に説明する。
図１は本発明の一実施例を示す構成図である。
ペーパーレスレコーダやデジタルオシロスコープ等の測定機器において、電圧等の入力信号はデジタル値に変換され、測定データとして測定機器の内部メモリ（図示せず）に格納される。
データ記憶手段１１は、予め指定された周期等により測定機器からの測定データを格納する。データ記憶手段１１はフラッシュメモリやＦＤ等の記憶媒体を用いた構成であってもよいし、ネットワークを介して測定機器から測定データを取り込む構成であってもよい。
【００１４】
データ解析手段１２は、データ記憶手段１１に格納されている測定データの波形の特徴を解析し、波形情報を得る。波形情報としては、波形の形状（直線、山形、正弦波、方形波、のこぎり波等）、波形の本数（測定チャネル数）、波形の表示色、波形の表示線の種類（実線、破線、一点鎖線等）、測定時のアラーム発生状況等であり、測定データが波形表示された際に波形の特徴となるものを抽出して管理する。
【００１５】
サムネイル情報作成手段１３は、まず測定データからサムネイル画像情報を作成する。次にこのサムネイル画像情報にデータ解析手段１２の解析による波形情報を合わせたサムネイル情報を作成する。このサムネイル情報を測定データ毎（ファイル名毎）に作成することにより、サムネイル画像を波形の特徴で分類することができるようになる。
【００１６】
分類手段１４は、サムネイル情報に基づいて測定データを分類する。
ユーザは入力手段１５により測定データを分類するための条件（分類条件）を指定する。分類条件としては、波形情報としての波形の形状、測定チャネル数等の他、測定データの更新時刻、測定期間、測定日、ファイル名、データサイズ等も使用可能である。
【００１７】
分類手段１４は入力手段１５による分類条件の指定があるときは、その条件で測定データを分類する。一方、入力手段１５による分類条件の指定がないときは、指定がないときの条件として予め設定されている分類条件で測定データを分類する。例えば、入力手段１５による分類条件の指定がないときは、ファイル名で測定データを分類する。
【００１８】
また、分類手段１４は、入力手段１５によるユーザの分類条件の指定がなくとも、測定データの波形の特徴を分析し、波形の特徴から自動的に測定データを分類するように構成してもよい。
例えば、第１の分類条件として波形の形状、第２の分類条件として波形の本数、第３の分類条件としてファイル名として予め測定データを分類するための順序を設定しておく。分類手段１４は、サムネイル情報作成手段１３からサムネイル情報を取得し、第１の分類条件である波形の形状で測定データを複数のグループに分類可能かどうか分析する。第１の分類条件で測定データを複数のグループに分類できる場合は、波形の形状で測定データを分類する。
【００１９】
一方、第１の分類条件では測定データを複数のグループに分類できない場合は、第１の分類条件では分類を実行せずに第２の分類条件である波形の本数で測定データを複数のグループに分類可能かどうか分析する。第２の分類条件で測定データを複数のグループに分類できる場合は、波形の本数で測定データを分類し、第２の分類条件でも測定データを複数のグループに分類できない場合は、第３の分類条件であるファイル名で測定データを分類する。
【００２０】
この際、指定の分類条件において、測定データがいくつ以上のグループに分かれる場合に分類可能とするというように分類可能なグループ数を指定するようにしてもよい。例えば、分類可能なグループ数を３とした場合は、３以上のグループに分類できる場合にその分類条件で測定データを分類する。
【００２１】
表示手段１６は、分類手段１４の分類に従って測定データの一覧をサムネイル形式で表示する。この際、サムネイル画像にファイル名等の情報を付加して表示するようにしてもよい。
このように、測定データの一覧表示をどのような波形が描かれるかに着目した波形のサムネイル表示とし、さらにそれらのサムネイル表示のグルーピングを行うことにより、ユーザは測定データの一覧表示の中から所望の測定データを波形イメージから容易に選択することができる。
【００２２】
また、入力手段１５で細かく分類条件を指定し、指定された分類条件以外は表示手段１６に表示させないようにしてもよい。例えば、分類条件として方形波と指定した場合、方形波の測定データのみをサムネイル形式で一覧表示し、方形波以外の測定データは一覧表示しないようにする。これにより、ユーザは必要な測定データをより容易に選択することができる。
【００２３】
さらに、表示手段１６は測定データの一覧のうち、指定した波形の特徴と一致する測定データの表示形態と、指定した波形の特徴と相違する測定データの表示形態を区別させるようにしてもよい。例えば、分類条件として方形波と指定した場合、一覧表示としては波形の形状で測定データをグルーピングし、方形波のサムネイル表示と方形波以外の表示形態を区別可能に変えてサムネイル表示する。具体的には、指定した波形の特徴と相違する測定データのサムネイル画像の色や表示サイズ等の表示形態を変化させる。これにより、測定データを簡易的に比較、分析することができ、測定機器による測定が正しく行われたかどうかを判断することができる。
【００２４】
なお、ユーザの選択により、表示手段１６はサムネイル形式で表示せずに、従来の一覧表示のようにファイル名と属性値による表示をすることも可能である。
【００２５】
図２は本発明のサムネイル形式の一覧表示を示す図である。図２（ａ）は波形の本数でグルーピングした場合、図２（ｂ）は波形の形状でグルーピングした場合の一覧表示例である。
分類条件として波形の本数を指定した場合、図２（ａ）に示すように波形本数が１本、２本、３本以上というように測定データがグルーピングされ、サムネイル形式で一覧表示される。ＪＯＢや試験項目により測定対象の数が決まっている場合等において、分類条件として波形の本数を指定することでＪＯＢや試験項目を特定し易くすることができる。
【００２６】
分類条件として波形の形状を指定した場合、図２（ｂ）に示すように波形の形状が山形、方形波、その他というように測定データがグルーピングされ、サムネイル形式で一覧表示される。測定対象の特性や測定対象の動作条件等により予め測定データの波形の形状が想定できる場合等において、分類条件として波形の形状を指定することでユーザは必要な測定データに容易に到達することができる。
【００２７】
図３は本発明の動作を説明するフローチャートである。
ユーザは測定データの一覧表示において、サムネイル形式で表示するか否かを選択する（Ｓ１）。ここで、サムネイル形式で表示するか否かの選択は、入力手段１５で行うが、入力手段１５とは別の手段で行う構成としてもよい。
サムネイル形式での表示を選択しない場合は、従来の一覧表示のようにファイル名と属性値による表示を行う。
【００２８】
サムネイル形式での表示を選択すると、測定データから波形イメージ情報に特化したサムネイル情報を作成する（Ｓ２）。具体的には、データ解析手段１２によりデータ記憶手段１１に格納されている測定データの波形の特徴を解析し、波形情報を得て、サムネイル情報作成手段１３によりサムネイル画像情報に波形情報を合わせたサムネイル情報を作成する。
【００２９】
ユーザは入力手段１５により測定データを分類するための分類条件を指定する（Ｓ３）。
分類条件として波形の形状を指定した場合、分類手段１４はサムネイル情報から波形の形状に関する情報を抽出して測定データを分類し、表示手段１６により分類手段１４の分類に従って測定データの一覧が波形の形状で並べ替えられサムネイル形式で表示される（Ｓ４）。
分類条件として波形の本数を指定した場合、分類手段１４はサムネイル情報から波形の本数に関する情報を抽出して測定データを分類し、表示手段１６により分類手段１４の分類に従って測定データの一覧が波形の本数で並べ替えられサムネイル形式で表示される（Ｓ５）。
【００３０】
ユーザによる分類条件の指定がないときは、指定がないときの条件として予め設定されている分類条件で分類する。この例では、入力手段１５による分類条件の指定がないときは、ファイル名で測定データを分類しており、分類手段１４はサムネイル情報から測定データのファイル名に関する情報を抽出して測定データを分類し、表示手段１６により分類手段１４の分類に従って測定データの一覧が測定データのファイル名で並べ替えられサムネイル形式で表示される（Ｓ６）。
【００３１】
従来の測定データの一覧表示では、実際に測定データを波形表示してみないとその測定データの測定結果が正しいかを判断することはできなかったが、測定データをサムネイル形式で一覧表示することによりその測定データの有効性について実際に測定データを波形表示しなくても判断することが可能になる。
また、測定データがサムネイル形式で一覧表示されるため、ユーザはどのような形状の波形が存在するのかの判断が可能になる。さらに、測定データをサムネイル形式で表示するのに加えて条件に応じてグルーピングが可能であるため、ユーザは一覧表示の中から容易に所望の測定データを選択することができる。
【図面の簡単な説明】
【００３２】
【図１】本発明の一実施例を示す構成図である。
【図２】本発明のサムネイル形式の一覧表示を示す図である。
【図３】本発明の動作を説明するフローチャートである。
【図４】従来の測定データの一覧表示を示す図である。
【符号の説明】
【００３３】
１１  データ記憶手段
１２  データ解析手段
１３  サムネイル情報作成手段
１４  分類手段
１５  入力手段
１６  表示手段
【図１】
2009257997.tif 000003
【図２】
2009257997.tif 000004
【図３】
2009257997.tif 000005
【図４】
2009257997.tif 000006